(57)【要約】【課題】使用者に対する高温注意の喚起を的確に行うガスコンロを提供する。【解決手段】本ガスコンロ１は、ガスの燃焼熱を生成するガスバーナ１１，１２，１３と、ガスバーナを収容する本体ケース１０Ａと、本体ケースの上端のケース開口部１００を覆う天板１０Ｂと、ガスコンロ本体の周辺が高温状態であることを報知する報知手段４１，４２と、ガスバーナの点消火動作や前記報知手段による報知動作を制御する制御手段５０と、天板上方に載置される調理器具の底面と接触し且つ前記底面の温度を検知する鍋温度センサ３１，３２とを備える。前記制御手段５０は、鍋温度センサ３１，３２の検知温度が基準温度以上である場合に前記報知を実行させる（ＳＴ３、ＳＴ３２）。【選択図】図３
2011007491.tif 000002
【特許請求の範囲】
【請求項１】
ガスの燃焼熱を生成するガスバーナと、ガスバーナを収容する本体ケースと、本体ケースの上端のケース開口部を覆う天板と、ガスコンロ本体の周辺が高温状態であることを報知する報知手段と、ガスバーナの点消火動作や前記報知手段による報知動作を制御する制御手段と、天板上方に載置される調理器具の底面と接触し且つ前記底面の温度を検知する鍋温度センサとを備え、
前記制御手段は、鍋温度センサの検知温度が基準温度以上である場合に前記報知を実行させる、ガスコンロ。
【発明の詳細な説明】
【技術分野】
【０００１】
本発明は、ガスコンロ、特に、高温注意を報知する機能を備えたガスコンロに関するものである。
【背景技術】
【０００２】
加熱調理中もしくは加熱調理後、高温になっている天板の表面やその天板に載置されている鍋やフライパン等の調理器具に、使用者が不用意に触れないよう注意を喚起すべく、天板の表面温度の温度に応じて「高温注意」の表示を発光素子の点灯によって報知させる機能を備えた電気加熱調理器が知られている。
図６に示すように、上記従来の電気加熱調理器９は、加熱操作部Ｐ１の加熱指示操作に連動して天板（図示しない）の表面に載置された鍋やフライパン等の調理器具を加熱する電気ヒータ９１と、電気ヒータ９１の上域且つ天板裏面の温度に応じてオンオフするサーモスタット９２と、後述する高温検知信号が入力された際に点灯する高温注意表示用の発光素子９３と、上記電気ヒータ９１の加熱動作を制御する加熱制御手段９４と、上記サーモスタット９２がオン状態である場合に高温検知信号を出力する温度検知手段９５と、上記高温検知信号が入力された時点で上記発光素子９３の点灯時間Ｓを設定する点灯時間設定手段９６と、電気ヒータ９１がオフにされてから上記点灯時間Ｓが経過した時点で高温検知信号の出力を停止させるタイマ９７とを備えている。
【０００３】
このものでは、電源スイッチＰＳがオンにされた状態で入力装置Ｐの加熱操作部Ｐ１によって加熱開始が指示されると、図７の作動フローチャートに示すように、加熱制御手段９４からリレー９１０のオン信号が出力されて電気ヒータ９１への通電が開始される（ＳＴ９００）。
そして、サーモスタット９２の検知温度が電気ヒータ９１の熱によって所定値（ここでは、９０℃）に到達してオン状態になれば、温度検知手段９５から高温検知信号が出力されて、発光素子９３を点灯させる（ＳＴ９０１〜９０３）。また、上記高温検知信号を受けた点灯時間設定手段９６は、上記点灯時間Ｓを予め記憶された基準時間Ａに設定する（ＳＴ９０４）。
【０００４】
その後、上記入力装置Ｐの加熱操作部Ｐ１によって加熱停止が指示されると、加熱制御手段９４からリレー９１０のオフ信号が出力されて電気ヒータ９１への通電が遮断されるとともに、タイマ９７によって電気ヒータ９１がオフにされた時点からの経過時間の計測が開始される（ＳＴ９０５〜９０６）。
そして、上記経過時間が点灯時間Ｓに到達した後、サーモスタット９２の検知温度が所定値（ここでは、８０℃）以下になってオフ状態になれば、温度検知手段９５からの高温検知信号の出力が停止され、発光素子９３を消灯させる（ＳＴ９０７〜９１０）。
これにより、加熱調理中もしくは加熱調理後に天板の表面温度が所定値より高くなれば、発光素子９３の点灯によって、天板の表面が高温であることを使用者へ注意喚起することが可能である。
【先行技術文献】
【特許文献】
【０００５】
【特許文献１】特開２００１−２２１４４３号公報
【発明の概要】
【発明が解決しようとする課題】
【０００６】
しかしながら、上記従来の電気加熱調理器９の構成をそのままガスコンロに適用したのでは、ガスバーナを点火した直後から天板の表面側へ放出される炎やその燃焼熱、或いは、加熱開始の指示がなされていない状態でその天板上方に載置された高温の調理器具等、天板表面以外の調理器本体の周辺が高温であることを報知することはできず、使用者へ注
意喚起するといった目的を十分に達成できなかった。
本発明は係る点に鑑みてなされたもので、ガスコンロにおいて、使用者に対する高温注意の喚起を的確に行うことを課題とする。
【課題を解決するための手段】
【０００７】
本発明に係るガスコンロは、
ガスの燃焼熱を生成するガスバーナと、ガスバーナを収容する本体ケースと、本体ケースの上端のケース開口部を覆う天板と、ガスコンロ本体の周辺が高温状態であることを報知する報知手段と、ガスバーナの点消火動作や前記報知手段による報知動作を制御する制御手段と、天板上方に載置される調理器具の底面と接触し且つ前記底面の温度を検知する鍋温度センサとを備え、
前記制御手段は、鍋温度センサの検知温度が基準温度以上である場合に前記報知を実行させるものである。
このものでは、天板の上方に載置される調理器具の底面と接触する鍋温度センサによって調理器具の底面温度を直接的に検知し、この検知温度が基準温度以上である場合にガスコンロ本体の周辺が高温状態であることを報知させるから、例えば、加熱開始の指示がなされていない状態において、他の加熱手段によって加熱された高温の調理器具を天板の上方に載置した際に、その調理器具に対する高温注意を報知できる。
【発明の効果】
【０００８】
本発明に係るガスコンロによれば、高温の調理器具を天板の上方に載置した際に、その調理器具に対する高温注意を報知できるから、使用者へガスコンロ本体周辺の高温注意の喚起を的確に行うことが可能である。
【図面の簡単な説明】
【０００９】
【図１】本発明の実施の形態に係るガスコンロ１の概略構成図である。
【図２】本発明の実施の形態に係るガスコンロ１の制御回路５０のブロック図である。
【図３】本発明の実施の形態に係るガスコンロ１の右ランプ４１の点消灯動作を示す作動フローチャートである。
【図４】本発明の実施の形態に係るガスコンロ１の左ランプ４２の点消灯動作を示す作動フローチャートである。
【図５】本発明の実施の形態に係るガスコンロ１の左右両ランプ４１，４２の点消灯動作を示す作動フローチャートである。
【図６】従来のガスコンロ７の制御回路を示すブロック図である。
【図７】従来のガスコンロ７のセンサ異常判定動作を示す作動フローチャートである。
【発明を実施するための形態】
【００１０】
次に、上記した本発明を実施するための最良の形態について、添付図面を参照しながら詳述する。
図１は、本発明の実施の形態に係るガスコンロ１の概略構成図であり、図２は、そのガスコンロ１に組み込まれた制御回路５０のブロック図である。以下、各部の詳細を説明する。
図１に示すように、ガスコンロ１は、システムキッチンのカウンタトップＫに埋設される形式、所謂、ビルトイン式のガスコンロであり、カウンタトップＫの上面に開設されたカウンタ孔Ｋ１へ落とし込み状態で装着される本体ケース１０Ａと、その本体ケース１０Ａ上端のケース開口部１００を覆う天板１０Ｂとで構成されている。
【００１１】
上記本体ケース１０Ａ内には、後述する五徳１４Ａ，１４Ｂ上に載置された鍋やフライパン等の調理器具をガスの燃焼熱によって加熱する右バーナ１１および左バーナ１２と、魚や肉等の調理物をガスの燃焼熱によって加熱するグリルバーナ１３と、それら右バーナ１１、左バーナ１２およびグリルバーナ１３による燃焼動作や後述する発光素子４１，４２による高温報知動作等を制御する制御回路５０とが収容されている。
また、本体ケース１０Ａの正面側には、右バーナ１１の点火および消火を行うための右点消火ボタンＰ１と、左バーナ１２の点火および消火を行うための左点消火ボタンＰ２と、グリルバーナ１３の点火および消火を行うためのグリル点消火ボタンＰ３とが設けられている。
【００１２】
一方、天板１０Ｂには、右バーナ１１が臨むバーナ用開口部１０１と、左バーナ１２が臨むバーナ用開口部１０２と、後述する排気ダクト１３１が臨むグリル用開口部１０３とが開設されており、その各バーナ用開口部１０１，１０２の周縁上部には、鍋やフライパン等の調理器具を支持する五徳１４Ａ，１４Ｂが載置されている。また、グリル用開口部１０３は、排気口カバー１５で覆われている。
さらに、天板１０Ｂの正面側には、後述する右ランプ４１および左ランプ４２が臨む二つの透光窓１０４が設けられており、この透光窓１０４から透過する右ランプ４１および左ランプ４２の光によって、上記各バーナ１１，１２，１３が燃焼中であることや天板１０Ｂの表面が高温状態であること等が報知される。
【００１３】
尚、右バーナ１１のみが燃焼中である状態、もしくは、右バーナ１１上に高温の調理器具が載置されている状態は、右ランプ４１の点灯で示され、左バーナ１２が燃焼中である状態、もしくは、左バーナ１２上に高温の調理器具が載置されている状態は、左ランプ４２の点灯で示される。また、グリルバーナ１３が燃焼中である状態、もしくは、上記各バーナ１１，１２，１３を使用した後や天板１０Ｂの表面に高温の調理器具を載置したことで天板１０Ｂの表面が高温である状態は、左右両ランプ４１，４２の点灯で示される。
【００１４】
右バーナ１１は、そのバーナヘッド１１０が天板１０Ｂのバーナ用開口部１０１から上方へ露出する位置に配設されており、バーナヘッド１１０の炎孔に形成される燃焼炎が、バーナ用開口部１０１から天板１０Ｂの表面側へ放出されるように構成されている。
また、上記バーナヘッド１１０の炎孔近傍には、右バーナ１１から放出される燃焼炎の熱によって起電力を変化させる炎検知センサ（以下、「右炎センサ」という）２１が設けられており、この右炎センサ２１の起電力に基づいて検知される温度変化から右バーナ１１の点消火状態が監視される。
【００１５】
さらに、バーナヘッド１１０の中央部には、五徳１４Ａに載置された調理器具の底面に接触し、その底面温度を直接的に検知する温度センサ（以下、「右温度センサ」という）３１が設けられており、この右温度センサ３１の検知温度ＴＨ１から、右バーナ１１側の五徳１４Ａ上に高温の調理器具が載置されているか否かが判定される。
左バーナ１２も上記右バーナ１１と同様の構成であり、バーナヘッド１２０の炎孔に形成される燃焼炎は、バーナ用開口部１０２から天板１０Ｂの表面側へ放出される。
【００１６】
また、バーナヘッド１２０の炎孔近傍には、左バーナ１２の燃焼炎の熱によって起電力を変化させる炎検知センサ（以下、「左炎センサ」という）２２が設けられており、この左炎センサ２２の起電力に基づいて検知される温度変化から左バーナ１２の点消火状態が監視される。
【００１７】
さらに、バーナヘッド１２０の中央部には、五徳１４Ｂに載置された調理器具の底面に接触し、その底面温度を直接的に検知する温度センサ（以下、「左温度センサ」という）３２が設けられており、この左温度センサ３２の検知温度ＴＨ２から、左バーナ１２側の五徳１４Ｂ上に高温の調理器具が載置されているか否かが判定される。
【００１８】
グリルバーナ１３は、本体ケース１０Ａの底部に形成され且つ正面開口部をグリル扉１３２で覆われた加熱室１３０内に収容されており、そのグリルバーナ１３で生成された燃焼熱は、加熱室１３０の後方に形成された排気ダクト１３１を通って天板１０Ｂのグリル用開口部１０３から機外へ排出される。
【００１９】
また、グリルバーナ１３の炎孔近傍には、そのグリルバーナ１３の燃焼炎の熱によって起電力を変化させる炎検知センサ（以下、「グリル炎センサ」という）２３が設けられており、このグリル炎センサ２３の起電力に基づいて検知される温度変化からグリルバーナ１３の点消火状態が監視される。
尚、上記「右バーナ１１」、「左バーナ１２」、「グリルバーナ１３」が「ガスバーナ」に対応する。
【００２０】
さらに、本体ケース１０Ａ内の中央且つ加熱室１３０の上方には、その本体ケース１０Ａ内の温度を検知する温度センサ（以下、「庫内温度センサ」という）３３が設けられており、この庫内温度センサ３３の検知温度ＴＨ３から、天板１０Ｂの表面が高温状態であるか否か、天板１０Ｂの表面に高温の調理器具が載置されているか否かが判定される。
【００２１】
本体ケース１０Ａ内の正面側中央には、右バーナ１１の点火動作に応じて点灯する発光素子（以下、「右ランプ」という）４１および左バーナ１２の点火動作に応じて点灯する発光素子（以下、「左ランプ」という）４２が設けられている。
尚、上記「右ランプ４１」および「左ランプ４２」が「報知手段」に対応する。
【００２２】
図２に示すように、制御回路５０には、上記右炎センサ２１、左炎センサ２２、グリル炎センサ２３、右温度センサ３１、左温度センサ３２、庫内温度センサ３３、右ランプ４１および左ランプ４２に加え、図示しないイグナイタから高電圧が印加されることによって上記各バーナ１１，１２，１３の炎孔近傍へ火花放電する点火電極Ｅ１，Ｅ２，Ｅ３、上記各バーナ１１，１２，１３へガスの供給を遮断可能な開閉電磁弁Ｖ１，Ｖ２，Ｖ３が電気的に接続されている。
【００２３】
また、制御回路５０は、右バーナ１１等の燃焼動作を制御する燃焼制御手段５１と、上記右炎センサ２１や左炎センサ２２、グリル炎センサ２３によって上記各バーナ１１，１２，１３の燃焼炎が検知された際にそれら炎検知センサごとの高温検知信号を出力する温度検知手段５２と、上記温度検知信号に応じて上記右ランプ４１および左ランプ４２の点灯動作を制御する表示制御手段５３と、上記温度検知信号が入力された時点で後述する右ランプ４１等の点灯時間を設定する報知時間設定手段５４と、右バーナ１１等の燃焼時間や右バーナ１１等の消火後の経過時間を計測するタイマ５５を備えているとともに、後述する右ランプ４１等の点灯時間を記憶する図示しないメモリや、これら各制御手段を連動させるプログラムを格納した図示しないマイクロコンピュータが組み込まれている。
尚、上記「制御回路５０」が「制御手段」に対応する。
【００２４】
［高温報知動作の実際］
次に、上記制御回路５０による高温報知動作を図３から図５の作動フローチャートに従って詳述する。
まず、右バーナ１１の点消火動作に伴う右ランプ４１の点消灯動作について、図３に従って説明する。
図示しない電源ボタンが押されて制御回路５０に電力が供給されると、制御回路５０に組み込まれた図示しないメモリ内に記憶された後述する右報知時間Ｓ１および左報知時間Ｓ２を「０」にリセットするとともに、庫内温度センサ３３の検知温度ＴＨ３が予め設定された第１の基準温度（ここでは、６２℃）より低いか否か、右温度センサ３１の検知温度ＴＨ１が予め設定された第２の基準温度（ここでは、５５℃）より低いか否か、および、右バーナ１１の点火操作がなされたか否かを監視する（ＳＴ１〜４）。
【００２５】
尚、図示を省略したが、上記ステップＳＴ２からＳＴ４の動作実行中、左点消火ボタンＰ２が押されて左バーナ１２の点火操作がなされたか否か、グリル点消火ボタンＰ３が押されてグリルバーナ１３の点火操作がなされたか否かについても同様に監視し、左点消火ボタンＰ２が押されて左バーナ１２の点火操作がなされた場合には、後述する左バーナ１２の点消火動作に伴う左ランプ４２の点消灯動作が実行され、グリル点消火ボタンＰ３が押されてグリルバーナ１３の点火操作がなされた場合には、後述するグリルバーナ１３の点消火動作に伴う左右両ランプ４１，４２の点消灯動作が実行される。
【００２６】
上記ステップＳＴ４にて、右点消火ボタンＰ１が押されて右バーナ１１の点火操作がなされた場合は、燃焼制御手段５１によって右バーナ１１の開閉電磁弁Ｖ１を開放し、ガス配管からバーナヘッド１１０へガスを供給するとともに、図示しないイグナイタから点火電極Ｅ１へ高電圧を印加する。
【００２７】
そして、右バーナ１１が点火し、右炎センサ２１が上記バーナヘッド１１０から放出される燃焼炎を検知すれば、温度検知手段５２から出力される右バーナ１１の点火を示す高温検知信号を受けた表示制御手段５３によって、右ランプ４１が点灯される（ＳＴ５〜６）。
【００２８】
また、上記右バーナ１１の点火を示す高温検知信号を受けたタイマ５５は、右バーナ１１の燃焼時間Ｎ１を計測する図示しないカウンタ（以下、「右燃焼カウンタ」という）を作動させ、右バーナ１１の燃焼時間の計測を開始する（ＳＴ７）。
【００２９】
その後、右点消火ボタンＰ１が再び押されて右バーナ１１の消火操作がなされた場合は、開閉電磁弁Ｖ１を閉じてバーナヘッド１１０へのガスの供給を遮断し、右バーナ１１を消火させるとともに、右燃焼カウンタを停止し（ＳＴ８〜１０）、その右バーナ１１の燃焼時間Ｎ１に応じた右ランプ４１の点灯時間（以下、「右報知時間」という）Ｓ１を設定する。
【００３０】
具体的には、右バーナ１１の燃焼時間Ｎ１が予め設定された第１の基準時間（ここでは、２分）より短い場合は、右温度センサ３１の検知温度ＴＨ１が上記第２の基準温度より低く、且つ、上記メモリに記憶された右報知時間Ｓ１が予め設定された第１の報知時間（ここでは、９分）より小さい条件下において、その第１の報知時間を右報知時間Ｓ１として上記メモリに置換記憶する（ＳＴ１１〜１４）。
【００３１】
また、上記ステップＳＴ１２で、右温度センサ３１の検知温度ＴＨ１が第２の基準温度以上である場合は、上記メモリに記憶された右報知時間Ｓ１が予め設定された第２の報知時間（ここでは、１２分）より小さい条件下において、その第２の報知時間を右報知時間Ｓ１として上記メモリに置換記憶する（ＳＴ１５〜１６）。
【００３２】
尚、上記ステップＳＴ１３にて、メモリに記憶された右報知時間Ｓ１が第１の報知時間以上である場合、上記ステップＳＴ１５にて、メモリに記憶された右報知時間Ｓ１が第２の報知時間以上である場合は、その記憶された第１の報知時間を維持したまま、後述するステップＳＴ２２以降の動作を実行する。
【００３３】
一方、右バーナ１１の燃焼時間Ｎ１が第１の基準時間以上且つ第２の基準時間（ここでは、３０分）未満である場合は、第３の報知時間（ここでは、３５分）、上記燃焼時間Ｎ１が第２の基準時間以上且つ第３の基準時間（ここでは、６０分）未満である場合は、第４の報知時間（ここでは、４０分）、上記燃焼時間Ｎ１が第３の基準時間以上である場合は、第５の報知時間（ここでは、４５分）を右報知時間Ｓ１として上記メモリに置換記憶する（ＳＴ１１，ＳＴ１７〜２１）。
【００３４】
そして、右バーナ１１の燃焼時間Ｎ１に応じた上記右報知時間Ｓ１が設定されると、右バーナ１１の消火後の経過時間を計測する図示しないカウンタ（以下、「右報知カウンタ」という）を作動させ、右バーナ１１の消火後の経過時間の計測を開始する（ＳＴ２２）。
【００３５】
右バーナ１１の消火後の経過時間の計測開始後、再び右バーナ１１の点火操作がなされた場合は、上記右報知カウンタを停止させて上記ステップＳＴ５以降の動作を実行する（ＳＴ２３〜２４）。
【００３６】
また、右バーナ１１の消火後の経過時間の計測開始後、グリル点消火ボタンＰ３が押されてグリルバーナ１３の点火操作がなされた場合は、上記右報知カウンタを停止させ、後述するステップＳＴ８４以降の動作を実行する（ＳＴ２５〜２６）。
【００３７】
上記経過時間の計測開始後、右バーナ１１の点火操作も、グリルバーナ１３の点火操作もなされず、庫内温度センサ３３の検知温度ＴＨ３が予め設定された第３の基準温度（ここでは、５５℃）より低く、右温度センサ３１の検知温度ＴＨ１が予め設定された第４の
基準温度（ここでは、５５℃）より低い条件下において、右報知カウンタの計測時間Ｌ１が上記右報知時間Ｓ１に到達すれば、上記右報知カウンタを停止させるとともに、温度検知手段５２から出力されていた高温検知信号を停止し、表示制御手段５３によって、右ランプ４１を消灯させる（ＳＴ２３，ＳＴ２５，ＳＴ２７〜３１）。
【００３８】
一方、上記ステップＳＴ２にて、庫内温度センサ３３の検知温度ＴＨ３が上記第１の基準温度以上である場合は、天板１０Ｂの表面が高温状態である、もしくは、天板１０Ｂの表面に高温の調理器具が載置されているとして、後述するステップＳＴ１０５以降の左右両ランプ４１，４２の点灯動作を実行する。
【００３９】
また、上記ステップＳＴ３にて、右温度センサ３１の検知温度ＴＨ１が上記第２の基準温度以上である場合は、右バーナ１１上に載置された調理器具が高温状態であるとして、右ランプ４１を点灯（ＳＴ３２）し、上記ステップＳＴ２２以降の動作を実行する。
【００４０】
次に、左バーナ１２の点消火動作に伴う左ランプ４２の点消灯動作について、図４に従って説明する。
この場合も、上述の右バーナ１１の点消火動作に伴う右ランプ４１の点消灯動作と同様、図示しない電源ボタンが押されて制御回路５０に電力が供給されると、メモリ内に記憶された右報知時間Ｓ１および左報知時間Ｓ２を「０」にリセットするとともに、庫内温度センサ３３の検知温度ＴＨ３が上記第１の基準温度より低いか否か、左温度センサ３２の検知温度ＴＨ２が上記第２の基準温度より低いか否か、左バーナ１２の点火操作がなされたか否かを監視する（ＳＴ４１〜４４）。
【００４１】
上記ステップＳＴ４４にて、左点消火ボタンＰ２が押されて左バーナ１２の点火操作がなされた場合には、左バーナ１１の開閉電磁弁Ｖ２を開放してバーナヘッド１２０へガスを供給するとともに、図示しないイグナイタから点火電極Ｅ２へ高電圧を印加する。
そして、左バーナ１２が点火し、左炎センサ２２が上記バーナヘッド１２０から放出される燃焼炎を検知すれば、左ランプ４２を点灯するとともに、左バーナ１２の燃焼時間Ｎ２を計測するタイマ５５の図示しないカウンタ（以下、「左燃焼カウンタ」という）を作動させ、左バーナ１２の燃焼時間の計測を開始する（ＳＴ４５〜４７）。
【００４２】
その後、左点消火ボタンＰ２が再び押されて左バーナ１２の消火操作がなされた場合は、開閉電磁弁Ｖ２を閉じて左バーナ１２を消火させるとともに、左燃焼カウンタを停止し（ＳＴ４８〜５０）、左バーナ１２の燃焼時間Ｎ２に応じた左ランプ４２の点灯時間（以下、「左報知時間」という）Ｓ２を上述のステップＳＴ１１からＳＴ２１と同様の動作によって設定する（ＳＴ５１〜６１）。
【００４３】
そして、上記左報知時間Ｓ２が設定されると、左バーナ１２の消火後の経過時間を計測する図示しないカウンタ（以下、「左報知カウンタ」という）を作動させて上記経過時間の計測を開始する（ＳＴ６２）。
左バーナ１２の消火後の経過時間の計測開始後、再び左バーナ１２の点火操作がなされた場合は、上記左報知カウンタを停止させて上記ステップＳＴ４５以降の動作を実行し、グリル点消火ボタンＰ３が押されてグリルバーナ１３の点火操作がなされた場合は、上記左報知カウンタを停止させて後述するステップＳＴ８４以降の動作を実行する（ＳＴ６３〜６６）。
【００４４】
上記経過時間の計測開始後、左バーナ１２の点火操作も、グリルバーナ１３の点火操作もなされず、庫内温度センサ３３の検知温度ＴＨ３が上記第３の基準温度より低く、左温度センサ３２の検知温度ＴＨ２が上記第４の基準温度より低い条件下において、左報知カウンタの計測時間Ｌ２が上記左報知時間Ｓ２に到達すれば、上記左報知カウンタを停止さ
せるとともに高温検知信号の出力を停止し、左ランプ４２を消灯させる（ＳＴ６３，ＳＴ６５，ＳＴ６７〜７１）。
【００４５】
一方、上記ステップＳＴ４２にて、庫内温度センサ３３の検知温度ＴＨ３が上記第１の基準温度以上である場合は、天板１０Ｂの表面が高温状態である、もしくは、天板１０Ｂの表面に高温の調理器具が載置されているとして、後述するステップＳＴ１０５以降の左右両ランプ４１，４２の両ランプの点灯動作を実行し、上記ステップＳＴ４３にて、左温度センサ３２の検知温度ＴＨ２が上記第２の基準温度以上である場合は、左バーナ１２上に載置された調理器具が高温状態であるとして、左ランプ４２を点灯（ＳＴ７２）し、上記ステップＳＴ６２以降の動作を実行する。
【００４６】
次に、グリルバーナ１３の点消火動作に伴う左右両ランプ４１，４２の点消灯動作について、図５に従って説明する。
図示しない電源ボタンが押されて制御回路５０に電力が供給されると、メモリ内に記憶された右報知時間Ｓ１および左報知時間Ｓ２を「０」にリセットするとともに、庫内温度センサ３３の検知温度ＴＨ３が上記第１の基準温度より低いか否か、グリルバーナ１３の点火操作がなされたか否かを監視する（ＳＴ８１〜８３）。
【００４７】
上記ステップＳＴ８３にて、グリル点消火ボタンＰ３が押されてグリルバーナ１３の点火操作がなされた場合は、燃焼制御手段５１によってグリルバーナ１３の開閉電磁弁Ｖ１を開放し、ガス配管からグリルバーナ１３へガスを供給するとともに、図示しないイグナイタから点火電極Ｅ３へ高電圧を印加する。
【００４８】
そして、グリルバーナ１３が点火し、グリル炎センサ２３がそのグリルバーナ１３の燃焼炎を検知すれば、温度検知手段５２から出力されたグリルバーナ１３の点火を示す高温検知信号を受けた表示制御手段５３によって、左右両ランプ４１，４２が点灯される（ＳＴ８４〜８５）。
また、グリルバーナ１３の点火を示す高温検知信号を受けたタイマ５５は、グリルバーナ１３の燃焼時間Ｎ３を計測する図示しないカウンタ（以下、「グリル燃焼カウンタ」という）を作動させ、グリルバーナ１３の燃焼時間の計測を開始する（ＳＴ８６）。
【００４９】
その後、グリル点消火ボタンＰ３が再び押されてグリルバーナ１３の消火操作がなされた場合は、開閉電磁弁Ｖ３を閉じてグリルバーナ１３を消火させるとともに、グリル燃焼カウンタを停止し（ＳＴ８７〜８９）、そのグリルバーナ１３の燃焼時間Ｎ３に応じた上記右報知時間Ｓ１および左報知時間Ｓ２を設定する。
【００５０】
具体的には、グリルバーナ１３の燃焼時間Ｎ３が予め設定された第４の基準時間（ここでは、５分）より短い場合は、予め設定された第６の報知時間（ここでは、２０分）を右報知時間Ｓ１および左報知時間Ｓ２として上記メモリに置換記憶し、グリルバーナ１３の燃焼時間Ｎ３が上記第４の基準時間以上である場合は、予め設定された第７の報知時間（ここでは、２５分）を右報知時間Ｓ１および左報知時間Ｓ２として上記メモリに置換記憶する（ＳＴ９０〜９２）。
【００５１】
そして、上記右報知時間Ｓ１および左報知時間Ｓ２が設定されると、上述の右報知カウンタおよび左報知カウンタを同時に作動させ、グリルバーナ１３の消火後の経過時間の計測を開始する（ＳＴ９３）。
グリルバーナ１３の消火後の経過時間の計測開始後、再びグリルバーナ１３の点火操作がなされた場合は、上記右報知カウンタおよび左報知カウンタを停止させて上記ステップＳＴ８４以降の動作を実行する。また、右バーナ１１の点火操作がなされた場合は、右報知カウンタを停止させて上述のステップＳＴ５以降の動作を実行し、左バーナ１２の点火
操作がなされた場合は、左報知カウンタを停止させて上述のステップＳＴ４５以降の動作を実行する（ＳＴ９４〜９９）。
【００５２】
上記経過時間の計測開始後、グリルバーナ１３の点火操作も、右バーナ１１の点火操作も、左バーナ１２の点火操作もなされず、庫内温度センサ３３の検知温度ＴＨ３が上記第３の基準温度より低く、右温度センサ３１の検知温度ＴＨ１および左温度センサ３２の検知温度ＴＨ２が上記第４の基準温度より低い条件下において、右報知カウンタの計測時間Ｌ１が右報知時間Ｓ１に到達し且つ左報知カウンタの計測時間Ｌ２が左報知時間Ｓ２に到達すれば、上記右報知カウンタおよび左報知カウンタを停止させるとともに、温度検知手段５２から出力されていた高温検知信号を停止し、表示制御手段５３によって、左右両ランプ４１，４２を消灯させる（ＳＴ９４，ＳＴ９６，ＳＴ９８，ＳＴ１００〜１０４）。
【００５３】
一方、上記ステップＳＴ８２にて、庫内温度センサ３３の検知温度ＴＨ３が上記第１の基準温度以上である場合は、天板１０Ｂの表面が高温状態であるとして、左右両ランプ４１，４２を点灯（ＳＴ１０５）し、上記ステップＳＴ９３以降の動作を実行する。
上記ガスコンロ１によれば、各バーナ１１，１２，１３を点火した時点で、ガスコンロ１の周辺が高温状態であることを右ランプ４１や左ランプ４２の点灯によって報知させるから、それら各バーナ１１，１２，１３からバーナ用開口部１０１，１０２もしくはグリル用開口部１０３の上方へ放出されている炎や燃焼熱に対する高温注意を報知できる。従って、炎や燃焼熱による火傷や袖口火災、および、その燃焼熱の発生に付随して高温になる天板１０Ｂやグリル扉１３２に対する高温の注意喚起を使用者へ的確に行うことが可能である。
【００５４】
また、炎検知センサ２１，２２，２３によって各バーナ１１，１２，１３の燃焼炎が検知された時点で上記右ランプ４１や左ランプ４２を点灯させるから、各バーナ１１，１２，１３から炎や燃焼熱が放出されたか否かを正確に判定できる。即ち、上記炎や燃焼熱が放出されていないにもかかわらず、右ランプ４１や左ランプ４２が点灯されるといった不都合がない。従って、上記火傷や袖口火災の注意喚起を使用者に対して一層的確に行うことが可能である。
【００５５】
さらに、バーナ用開口部１０１，１０２の上部に載置される調理器具の底面温度を右温度センサ３１や左温度センサ３２によって直接的に検知し、その検知温度が予め設定された基準温度以上である場合に上記右ランプ４１や左ランプ４２を点灯させるから、例えば、右バーナ１１や左バーナ１２の点火操作がなされていない状態において、他の加熱手段によって加熱された高温の調理器具を天板１０Ｂの上方に載置した際に、その調理器具に対する高温注意を報知できる。従って、上記高温の調理器具による火傷の注意喚起を使用者へ的確に行うことが可能である。
【００５６】
また、庫内温度センサ３３によって本体ケース１０Ａ内の温度を検知し、その検知温度が予め設定された基準温度以上である場合は、右バーナ１１や左バーナ１２、グリルバーナ１３を使用した後や天板１０Ｂの表面に高温の調理器具が載置された状態、或いは、グリルバーナ１３が燃焼中であるとして左右両ランプ４１，４２を点灯させるから、天板１０Ｂの表面やグリル扉１３２の表面、バーナ用開口部１０１，１０２の周辺、グリル用開口部１０３の周辺に対する高温の注意喚起を使用者へ的確に行うことが可能である。
【００５７】
また、右温度センサ３１や左温度センサ３２の検知温度に基づいて右ランプ４１や左ランプ４２を点灯させた場合でも、バーナ１１，１２，１３が点火されると、バーナ１１，１２，１３の消火後、庫内温度センサ３３の検知温度が第３の基準温度より低く、右温度センサ３１や左温度センサ３２の検知温度が第４の基準温度より低い条件下で、バーナ１１，１２，１３の燃焼時間に応じて設定された報知時間が経過すれば、右ランプ４１や左ランプ４２を消灯させる。従って、バーナ１１，１２，１３が点火されるとその消火後であっても天板１０Ｂの表面等のガスコンロ本体の周辺が高温状態となっていれば右ランプ４１や左ランプ４２の点灯により使用者に注意喚起される。
【００５８】
［その他］
尚、上記実施の形態では、炎検知センサが燃焼炎を検知した時点で報知動作を実行するものを説明したが、点消火ボタンによってガスバーナの点火動作が指示された時点で報知動作を実行するものであっても良い。
具体的には、上記ステップＳＴ４にて、右点消火ボタンＰ１が押されて右バーナ１１の
点火操作がなされた場合は、上述した開閉電磁弁Ｖ１の開放動作および点火電極Ｅ１への高電圧印加動作を実行するとともに、表示制御手段５３によって右ランプ４１が点灯される。一方、左点消火ボタンＰ２が押されて左バーナ１２の点火操作がなされた場合も同様、上述した開閉電磁弁Ｖ２の開放動作および点火電極Ｅ２への高電圧印加動作を実行するとともに、表示制御手段５３によって左ランプ４２が点灯される。
【００５９】
これによれば、右バーナ１１や左バーナ１２を点火した時点で右ランプ４１や左ランプ４２を点灯させるから、右バーナ１１や左バーナ１２から炎や燃焼熱が放出されるより遅れて高温注意が報知される恐れがない。従って、上記火傷や袖口火災の注意喚起を使用者に対して一層的確に行うことが可能である。
この場合、上記「右点消火ボタンＰ１」および「左点消火ボタンＰ２」が「点火操作部」に対応する。
【００６０】
また、上記実施の形態における炎検知センサは、ガスバーナから放出される燃焼炎を、その熱による起電力から検知する熱電対式のものを採用したが、上記燃焼炎が放出された際の半波整流作用によって検知するフレームロッド式のものを採用しても良い。
さらに、上記実施の形態における報知手段は、ガスバーナが点火されていることや天板が高温状態であること等を、発光素子の点灯によって報知するものを説明したが、画像や文字、音声等の出力によって報知するものであっても良い。
【００６１】
上記実施の形態では、炎検知センサが燃焼炎を検知した時点で発光素子を点灯させているが、点火電極へ電圧を印加すると同時に発光素子を点灯させても良いし、点消火ボタンを押す操作と同時に発光素子を点灯させても良い。
また、上記実施の形態では、ビルトイン式のガスコンロとして説明したが、キッチンのコンロ台に載置して使用される据置式のガスコンロであっても良い。
【符号の説明】
【００６２】
１  ガスコンロ
１０Ａ  本体ケース
１０Ｂ  天板
１１  右バーナ（ガスバーナ）
１２  左バーナ（ガスバーナ）
１３  グリルバーナ（ガスバーナ）
３１  右温度センサ（鍋温度センサ）
３２  左温度センサ（鍋温度センサ）
４１  右ランプ（報知手段）
４２  左ランプ（報知手段）
５０  制御回路（制御手段）
１００  ケース開口部
【図１】
2011007491.tif 000003
【図２】
2011007491.tif 000004
【図３】
2011007491.tif 000005
【図４】
2011007491.tif 000006
【図５】
2011007491.tif 000007
【図６】
2011007491.tif 000008
【図７】
2011007491.tif 000009